(57)【要約】【課題】単一の該カッタブレードに、芝刈り性能と騒音抑制性能という、互いに異なる２つの性能を付加すること。【解決手段】芝刈機１０のカッタブレード１４は、上下方向に延びた回転軸１６ａに対し、水平方向の両方へ延びた細長い部材である。該カッタブレードの長手方向の両端部３１，３１には、一対の屈曲部３２，３２が形成されている。該一対の屈曲部は、該回転軸の軸方向から見て、互いに逆向きに屈曲している。該カッタブレードには、該一対の屈曲部のなかの凸面状の縁３２ａ，３２ａに形成された一対の凸側の刃３３，３３と、該一対の屈曲部のなかの凹面状の縁３２ｂ，３２ｂに形成された一対の凹側の刃３４，３４とが設けられている。該一対の凸側の刃の刃先角度θ１は、該一対の凹側の刃の刃先角度θ２よりも小さい。【選択図】図２
2015188335.tif 000002
【特許請求の範囲】
【請求項１】
下方が開放されたハウジングと、該ハウジング内に位置して該ハウジングの上下方向に延びた回転軸と、該回転軸を回転中心として回転可能に前記ハウジング内に収納されたカッタブレードとを含む、芝刈機において、
前記カッタブレードは、前記回転軸に対し水平方向の両方へ延びた細長い部材であって、長手方向の両端部に一対の屈曲部が形成され、
該一対の屈曲部は、前記回転軸の軸方向から見て、互いに逆向きに屈曲しており、
前記カッタブレードには、前記一対の屈曲部のなかの凸面状の縁に形成された一対の凸側の刃と、該一対の屈曲部のなかの凹面状の縁に形成された一対の凹側の刃とが設けられており、
前記一対の凸側の刃の刃先角度は、前記一対の凹側の刃の刃先角度よりも、小さく設定されていることを特徴とする芝刈機。
【発明の詳細な説明】
【技術分野】
【０００１】
本発明は、カッタブレードを改良したロータリ式芝刈機の技術に関する。
【背景技術】
【０００２】
ロータリ式芝刈機は、下方が開放されているハウジング内に収納されたカッタブレードを、芝草に沿って回転させることにより、該芝草を刈るものである。近年、芝刈機のカッタブレードの改良が進められている。このような芝刈機の技術としては、例えば特許文献１が知られている。
【０００３】
特許文献１で知られている芝刈機は、下方が開放されたハウジングと、該ハウジング内に位置して該ハウジングの上下方向に延びた回転軸と、該回転軸を回転中心として回転可能に該ハウジング内に収納された上部及び下部カッタブレードとを含む。該上部カッタブレードは、芝草を刈るために回転方向の前縁に形成された刃を有する。該下部カッタブレードは、回転方向の前縁に形成された刃と、該回転方向の後縁から後上方へ湾曲しつつ延びた左右のエアリフト部とを有する。該上部及び下部カッタブレードを有した芝刈機は、芝刈り性能を確保することができる。
【０００４】
該カッタブレードの回転に伴って、芝刈機には騒音が発生する。該芝刈機の使用場所によっては、芝刈り性能よりも騒音抑制性能を重視することがある。これに対し、芝刈り性能を重視したカッタブレードと、騒音抑制性能を重視したカッタブレードとを準備しておき、該芝刈機の使用場所によって、両者を適宜交換することが考えられる。しかし、これでは２種類のカッタブレードを準備するので、芝刈機のコストが増すとともに、使っていない方のカッタブレードを保管するのが面倒である。
【先行技術文献】
【特許文献】
【０００５】
【特許文献１】特開２００６−６７９１８号公報
【発明の概要】
【発明が解決しようとする課題】
【０００６】
本発明は、単一の該カッタブレードに、「芝刈り性能」と「騒音抑制性能」という、互いに異なる２つの性能を付加することができる技術を、提供することを課題とする。
【課題を解決するための手段】
【０００７】
請求項１に係る発明によれば、下方が開放されたハウジングと、該ハウジング内に位置して該ハウジングの上下方向に延びた回転軸と、該回転軸を回転中心として回転可能に前記ハウジング内に収納されたカッタブレードとを含む、芝刈機において、前記カッタブレードは、前記回転軸に対し水平方向の両方へ延びた細長い部材であって、長手方向の両端部に一対の屈曲部が形成され、該一対の屈曲部は、前記回転軸の軸方向から見て、互いに逆向きに屈曲しており、前記カッタブレードには、前記一対の屈曲部のなかの凸面状の縁に形成された一対の凸側の刃と、該一対の屈曲部のなかの凹面状の縁に形成された一対の凹側の刃とが設けられており、前記一対の凸側の刃の刃先角度は、前記一対の凹側の刃の刃先角度よりも、小さく設定されていることを特徴とする芝刈機が提供される。
【発明の効果】
【０００８】
請求項１に係る発明では、細長いカッタブレードの長手方向の両端部に、一対の屈曲部が形成されている。該一対の屈曲部は、回転軸の軸方向から見て、互いに逆向きに屈曲している。該カッタブレードには、該一対の屈曲部のなかの凸面状の縁に形成された一対の凸側の刃と、該一対の屈曲部のなかの凹面状の縁に形成された一対の凹側の刃とが設けられている。該一対の凸側の刃の刃先角度は、該一対の凹側の刃の刃先角度よりも小さい。
【０００９】
該一対の凸側の刃が回転方向前側となるように、該カッタブレードを回転させた場合には、該一対の凸側の刃によって芝草を刈る（裁断する）ことができる。このときの、該芝草に対する刃の入射角は小さい。芝草を裁断するときの、該一対の凸側の刃にかかる抵抗（負荷）を軽減することができる。しかも、刈った後の芝地の芝草面を、きれいな仕上がり面とすることができる。つまり、芝刈機の仕上がり性能を高めることができる。
【００１０】
さらには、該凸側の刃の刃先角度に比べて、該凹側の刃の刃先角度は大きい。該凹側の刃の刃先角度が大きいので、該カッタブレードの回転後方の空気の流れの乱れが増す。このため、該カッタブレードの回転後方に生じる負圧領域が増す。芝地に生えている芝草を立たせる力が発生し易い。この結果、芝草の刈り残しを少なくして満遍なく刈る性能、つまり芝刈機の芝刈り性能を高めることができる。
【００１１】
一方、該カッタブレードを裏返して、該カッタブレードを回転軸に取り付けた場合には、該一対の凹側の刃の向きは、カッタブレードの回転方向前側となる。該凹側の刃によって芝草を刈る（裁断する）ことができる。
【００１２】
該一対の凸側の刃の、刃先角度が小さいので、該カッタブレードの回転後方の空気の流れの乱れが少ない。このため、該カッタブレードの回転後方に生じる負圧領域（後側の負圧領域）は小さい。これに対し、該一対の凹側の刃の刃先角度が大きいので、該凹側の刃と芝地との間に発生する負圧領域（前側の負圧領域）が増す。従って、該前側の負圧領域の増大現象によって、該後側の負圧領域の減少現象を補うことができる。よって、芝地に生えている芝草を立たせる力を補うことができる。この結果、芝草の刈り残しを少なくして満遍なく刈る性能、つまり芝刈機の芝刈り性能を確保することができる。
【００１３】
さらには、該一対の凸側の刃の刃先角度が小さいので、該凸側の刃の表面や裏面を通過する空気は、該凸側の刃の刃先付近でスムーズに合流し、剥離しにくい。この結果、芝刈り時において、該カッタブレードの回転に伴う風切り音等の騒音の発生を抑制することができる。
【００１４】
しかも、該一対の屈曲部は、回転軸の軸方向から見て、互いに逆向きに凸状となるように屈曲している。このため、該一対の凹側の刃が回転方向前側となるように、該カッタブレードを回転させた場合には、該カッタブレードの回転に伴って発生する風が、ブレード外周方向へ流れないように、該一対の屈曲部によって抑制することができる。この結果、該カッタブレードの回転に伴う騒音の発生を抑制する性能、つまり芝刈機の騒音抑制性能を高めることができる。
【００１５】
このように、該一対の凸側の刃が回転方向前側となるように、該カッタブレードを回転させた場合には、芝刈機の芝刈り性能を高めることができる。一方、該カッタブレードを裏返して、該一対の凹側の刃が回転方向前側となるように、該カッタブレードを回転させた場合には、芝刈機の騒音抑制性能を高めることができる。従って、単一の該上部カッタブレードに、「芝刈り性能」と「騒音抑制性能」という、互いに異なる２つの性能を付加することができる。
【図面の簡単な説明】
【００１６】
【図１】本発明の実施例１に係る芝刈機の左側面図である。
【図２】図１に示される上部カッタブレードを上、下及び側方から見た構成と断面した構成を示す図である。
【図３】図１に示される下部カッタブレードの斜視図である。
【図４】図１に示される上部及び下部カッタブレードを斜め上から見た構成と上、下及び側方から見た構成を示す図である。
【図５】図４の５矢視線に沿った図である。
【図６】図４に示された上部カッタブレードを裏返して下部カッタブレードと組み付けた構成の図である。
【図７】本発明の実施例２に係る芝刈機の上部カッタブレードの分解図である。
【図８】図７に示された中央部と右の端部材の結合部分の拡大した分解図である。
【図９】図８に示された中央部に右の端部材を結合した構成の断面図である。
【図１０】図７に示された上部カッタブレードを裏返した構成の斜視図である。
【図１１】図７に示された中央部と右の端部材とを切り替え機構を用いて結合する手順を示す説明図である。
【発明を実施するための形態】
【００１７】
本発明を実施するための形態を添付図に基づいて以下に説明する。
【実施例１】
【００１８】
実施例１に係る芝刈機について、図１〜図６に基づき説明する。なお、「前」、「後」、「左」、「右」、「上」、「下」は作業者から見た方向に従う。
【００１９】
図１に示されるように、芝刈機１０は、芝草を刈る歩行型自走式作業機であって、ハウジング１１と、該ハウジング１１の前部に備えた左右の前輪１２と、該ハウジング１１の後部に備えた左右の後輪１３と、該ハウジング１１の中央の内部に収納された芝刈用の上部及び下部カッタブレード１４，１５と、該ハウジング１１の上部に備えたエンジン１６（動力源１６）と、該ハウジング１１から後方へ延びた操作ハンドル１７とからなる。なお、動力源１６はエンジンに限定されず、例えば電動モータであってもよい。
【００２０】
該芝刈機１０は、該エンジン１６によって該上部及び下部カッタブレード１４，１５を回転させることにより、芝草を刈り取るとともに、該ハウジング１１内に空気の流れ（旋回風の旋回流）を発生させ、該旋回流により、該上部及び下部カッタブレード１４，１５によって刈った芝草を刈り芝収納体２２に送り込んで収納することができる。以下、該上部及び下部カッタブレード１４，１５によって刈られた芝草のことを「刈り芝」という。
【００２１】
該ハウジング１１は、下端面（芝地Ｇｒに対向する面）だけが全面的に開放された、いわゆる下方が開放されたハウジングである。該ハウジング１１は、該上部及び下部カッタブレード１４，１５によって刈られた芝草を、旋回風によって旋回運動させつつ、刈り芝搬出通路２１へ向かわせるためのスクロール部を有した、平面視渦巻状の部材、つまり渦巻ケーシング（spiral case、scroll case）である。該刈り芝搬出通路２１の後端にはグラスバッグ等の刈り芝収納体２２を取付け可能である。刈り芝は、ハウジング１１の内部で出力軸１６ａ回りを旋回しながら刈り芝搬出通路２１へ送られる。
【００２２】
該ハウジング１１は、機体の役割を兼ねており、上面に該エンジン１６を重ねてボルト止めすることによって、一体的に組み付けたものである。該エンジン１６は、下端から下方の芝地Ｇｒへ向かって該ハウジング１１内まで延びた、出力軸１６ａを有する。該出力軸１６ａは、該ハウジング１１内に位置して、該ハウジング１１の上下方向に延びた回転軸である。結果として、該出力軸１６ａ（回転軸１６ａ）は、水平な芝地Ｇｒ、つまり地面Ｇｒに対して略垂直になる。
【００２３】
該回転軸１６ａには、ハウジング１１内において、クラッチ（図示せず）を介して該上部及び下部カッタブレード１４，１５が取り付けられている。エンジン１６によって上部及び下部カッタブレード１４，１５を駆動することにより、該上部及び下部カッタブレード１４，１５は、ハウジング１１内において、回転軸１６ａ（軸心ＳＣ）を回転中心として回転可能である。
【００２４】
図２（ａ）は、図１に示された上部カッタブレード１４を上から見た構成を表している。図２（ｂ）は、図２（ａ）に示された上部カッタブレード１４を下から見た構成を表している。図２（ｃ）は、図２（ａ）に示された上部カッタブレード１４を側方から見た構成を表している。図２（ｄ）は、図２（ａ）の矢視線ｄ−ｄ線方向の断面を表している。
【００２５】
図２に示されるように、該上部カッタブレード１４は、回転軸１６ａ（軸心ＳＣ）に対し水平方向の両方へ延びた、平面視略平板状の細長い部材、つまり平面視略帯板状の部材である。より詳しく述べると、該上部カッタブレード１４は、回転軸１６ａ（軸心ＳＣ）に対し水平方向に真っ直ぐな、平板によって構成されている。
【００２６】
該上部カッタブレード１４の板面１４ａ，１４ｂは、回転軸１６ａの軸方向を向いている。以下、回転軸１６ａ（軸心ＳＣ）に対し、軸方向の一方の板面１４ａのことを「一方の板面１４ａ」という。該一方の板面１４ａに対し、反対側の板面１４ｂのことを「他方の板面１４ｂ」という。例えば、図２（ａ）に示されるように、上部カッタブレード１４を上から見た面１４ａ、つまり表面１４ａのことを、「一方の板面１４ａ」とする。また、図２（ｂ）に示されるように、上部カッタブレード１４を下から見た面１４ｂ、つまり裏面１４ｂのことを、「他方の板面１４ｂ」とする。
【００２７】
該上部カッタブレード１４の長手方向の両端部３１，３１には、一対の屈曲部３２，３２が形成されている。該一対の屈曲部３２，３２は、回転軸１６ａの軸方向から見て、互いに逆向きに屈曲している。つまり、該上部カッタブレード１４は、平面視で、いわゆるブーメラン状に形成されている。
【００２８】
該カッタブレード１４には、一対の屈曲部３２，３２のなかの、凸面状の縁３２ａ，３２ａに形成された一対の凸側の刃３３，３３と、凹面状の縁３２ｂ，３２ｂに形成された一対の凹側の刃３４，３４とが設けられている。
【００２９】
該一対の凸側の刃３３，３３と該一対の凹側の刃３４，３４とは、互いに逆向きとなる、片切り刃である。詳しく述べると、該一対の凸側の刃３３，３３は、水平な他方の板面１４ｂの縁の部位を刃先とし、一方の板面１４ａへ向かって上り勾配に傾いている。一方、該一対の凹側の刃３４，３４は、水平な一方の板面１４ａの縁の部位を刃先とし、他方の板面１４ｂへ向かって上り勾配に傾いている。
【００３０】
図２（ｄ）に示されるように、該一対の凸側の刃３３，３３の刃先角度θ１は、該一対の凹側の刃３４，３４の刃先角度θ２よりも、小さく設定されている（θ１＜θ２）。
【００３１】
図３に示されるように、該下部カッタブレード１５は、回転軸１６ａに対し水平方向の両方へ延びた、平面視略平板状の細長い部材、つまり平面視略帯板状の部材である。該下部カッタブレード１５の長手方向の両端部４１，４１は、該下部カッタブレード１５の回転方向Ｒａの前縁４２に形成された左右の刃４３，４３と、該前縁４２から後上方へ湾曲しつつ延びた左右のエアリフト部４４，４４とを有している。該左右のエアリフト部４４，４４は、該下部カッタブレード１５が回転方向Ｒａへ回転したときに、空気の旋回流及び上昇気流を発生させるための部分である。
【００３２】
次に、上記実施例１の構成の作用を説明する。図４（ａ）は、上部カッタブレード１４（カッタブレード１４）の一方の板面１４ａを上側にして、上部及び下部カッタブレード１４，１５を回転軸１６ａに取り付けた状態を表している。図４（ｂ）は、図４（ａ）に示された上部及び下部カッタブレード１４，１５を、上から見た構成を表している。図４（ｃ）は、図４（ａ）に示された上部及び下部カッタブレード１４，１５を、側方から見た構成を表している。図４（ｄ）は、図４（ａ）に示された上部及び下部カッタブレード１４，１５を、下から見た構成を表している。図５は、図４（ａ）の５矢視方向から見た、つまり上部及び下部カッタブレード１４，１５を長手方向の端から見た構成を表している。
【００３３】
図４及び図５に示されるように、上部カッタブレード１４の一方の板面１４ａ（表面１４ａ）を上向きにして、該上部カッタブレード１４を回転軸１６ａに取り付けた場合には、該一対の凸側の刃３３，３３の向きは、上部及び下部カッタブレード１４，１５の回転方向Ｒａ前側となる。
【００３４】
該上部カッタブレード１４は、該一対の凸側の刃３３，３３が回転方向Ｒａ前側となるように回転する。該凸側の刃３３，３３によって、芝草を刈る（裁断する）ことができる。該凸側の刃３３，３３の刃先角度θ１は、比較的小さい。このため、該芝草に対する該凸側の刃３３，３３の入射角は小さい。芝草を裁断するときの、該凸側の刃３３，３３にかかる抵抗（負荷）を軽減することができる。しかも、刈った後の芝地Ｇｒ（図１参照）の芝草面を、きれいな仕上がり面とすることができる。つまり、芝刈機１０（図１参照）の仕上がり性能を高めることができる。
【００３５】
さらには、該凸側の刃３３，３３の刃先角度θ１に比べて、該凹側の刃３４，３４の刃先角度θ２は大きい。該凹側の刃３４，３４の刃先角度θ２が大きいので、該上部カッタブレード１４の回転後方の空気の流れの乱れが増す。このため、該上部カッタブレード１４の回転後方に生じる負圧領域が増す。芝地Ｇｒに生えている芝草を立たせる力が発生し易い。この結果、芝草の刈り残しを少なくして満遍なく刈る性能、つまり芝刈機１０の芝刈り性能を高めることができる。
【００３６】
この場合には、図４（ａ）及び図５に示されるように、該上部カッタブレード１４の凸側の刃３３の刃先の、少なくとも一部は、該下部カッタブレード１５の刃４３よりも回転方向Ｒａ側に位置している。
【００３７】
図５に示されるように、該凹側の刃３４，３４の刃先角度θ２が大きいので、該凹側の刃３４，３４と、下部カッタブレード１５のエアリフト部４４の上面４４ａとの、間に発生する負圧は、比較的大きい。
【００３８】
一方、図６に示されるように、該上部カッタブレード１４を裏返して、つまり他方の板面１４ｂ（裏面１４ｂ）を上向きにして、該上部カッタブレード１４を回転軸１６ａに取り付けた場合には、該一対の凹側の刃３４，３４の向きは、上部及び下部カッタブレード１４，１５の回転方向Ｒａ前側となる。該凹側の刃３４，３４によって芝草を刈る（裁断する）ことができる。
【００３９】
図６（ａ）は、上部カッタブレード１４の他方の板面１４ｂを上側にして、上部及び下部カッタブレード１４，１５を回転軸１６ａに取り付けた構成を表している。図６（ｂ）は、図６（ａ）に示された上部及び下部カッタブレード１４，１５を、上から見た構成を表している。図６（ｃ）は、図６（ａ）に示された上部及び下部カッタブレード１４，１５を、側方から見た構成を表している。図６（ｄ）は、図６（ａ）に示された上部及び下部カッタブレード１４，１５を、下から見た構成を表している。
【００４０】
該一対の凸側の刃３３，３３の、刃先角度θ１が小さいので、該上部カッタブレード１４の回転後方の空気の流れの乱れが少ない。このため、該上部カッタブレード１４の回転後方に生じる負圧領域（後側の負圧領域）は小さい。これに対し、該一対の凹側の刃３４，３４の刃先角度θ２が大きいので、該凹側の刃３４，３４と芝地Ｇｒ（図１参照）との間に発生する負圧領域（前側の負圧領域）が増す。従って、該前側の負圧領域の増大現象によって、該後側の負圧領域の減少現象を補うことができる。よって、芝地Ｇｒに生えている芝草を立たせる力を補うことができる。この結果、芝草の刈り残しを少なくして満遍なく刈る性能、つまり芝刈機１０の芝刈り性能を確保することができる。
【００４１】
さらには、該一対の凸側の刃３３，３３の刃先角度θ１が小さいので、該凸側の刃３３，３３の表面や裏面を通過する空気は、該凸側の刃３３，３３の刃先付近でスムーズに合流し、剥離しにくい。この結果、芝刈り時において、該上部カッタブレード１４の回転に伴う風切り音等の騒音の発生を抑制することができる。
【００４２】
しかも、該一対の屈曲部３２，３２は、回転軸１６ａの軸方向から見て、互いに逆向きに凸状となるように屈曲している。このため、該一対の凹側の刃３４，３４が回転方向Ｒａ前側となるように、該上部カッタブレード１４を回転させた場合には、該上部カッタブレード１４の回転に伴って発生する風が、ブレード外周方向へ流れないように、該一対の屈曲部３２，３２によって抑制することができる。この結果、該上部カッタブレード１４の回転に伴う騒音の発生を抑制する性能、つまり芝刈機１０の騒音抑制性能を高めることができる。
【００４３】
このように、該一対の凸側の刃３３，３３が回転方向Ｒａ前側となるように、該上部カッタブレード１４を回転させた場合には、芝刈機１０の芝刈り性能を高めることができる。一方、該上部カッタブレード１４を裏返して、該一対の凹側の刃３４，３４が回転方向前側となるように、該上部カッタブレード１４を回転させた場合には、芝刈機１０の騒音抑制性能を高めることができる。従って、単一の該上部カッタブレード１４に、「芝刈り性能」と「騒音抑制性能」という、互いに異なる２つの性能を付加することができる。
【実施例２】
【００４４】
実施例２に係る芝刈機について図７〜図１１に基づき説明する。実施例２の芝刈機１０Ａは、上記図２に示される実施例１の上部カッタブレード１４を図７〜図１１に示される上部カッタブレード１４Ａに変更したことを特徴とし、他の構成については実施例１と同じ構成なので、同一符号を付し、その説明を省略する。つまり、実施例２の上部カッタブレード１４Ａは、実施例１の上部カッタブレード１４を、３つの部材５１〜５３に分解可能な構成にしたことを特徴とする。
【００４５】
具体的に説明すると、図７〜図９に示されるように、該上部カッタブレード１４Ａは、回転軸１６ａ（軸心ＳＣ）に対し水平方向の両方へ延びた、平面視略平板状の細長い部材、つまり平面視略帯板状の部材であって、中央部５１と一対の端部材５２，５３との、３つの部材によって構成されている。以下、理解を容易にするために、該一対の端部材５２，５３のなかの、一方の端部材５２のことを「左の端部材５２」、他方の端部材５３のことを「右の端部材５３」という。
【００４６】
該中央部５１は、回転軸１６ａに取付可能な細長い帯板によって構成されており、長手方向の両端部５１ａ，５１ａに結合部５４，５４（中央側結合部５４，５４）を有している。該左右の端部材５２，５３は、中央部５１の両端部５１ａ，５１ａに取り外し可能に結合される細長い帯板によって構成されており、長手方向の一端部５２ａ，５３ａに結合部５５，５５（端部側結合部５５，５５）を有している。該中央部５１に該左右の端部材５２，５３を組み合わせて結合することによって、１つの該上部カッタブレード１４Ａを構成することができる。
【００４７】
組み合わされた該上部カッタブレード１４Ａの全体構成は、上記図２に示される実施例１の上部カッタブレード１４に対して基本的に（実質的に）同じ構成である。該左右の端部材５２，５３は、中央部５１に対して表裏反転することにより、該一対の凸側の刃３３，３３と該一対の凹側の刃３４，３４の向きを、変更することが可能である。
【００４８】
該各中央側結合部５４，５４は、中央部５１の表裏方向に段差を有した一対の段差面５４ａ，５４ｂによって構成されている。該一対の段差面５４ａ，５４ｂは、中央部５１の幅方向に隣接して位置する。一方の段差面５４ａは、中央部５１の表面に対して凹んだ平坦面である。他方の段差面５４ｂは、中央部５１の裏面に対して凹んだ平坦面である。該一対の段差面５４ａ，５４ｂには、板厚方向に貫通したボルト挿入孔５４ｃ，５４ｃが形成されている。
【００４９】
該端部側結合部５５，５５は、各端部材５２，５３の表裏方向に段差を有した、それぞれ一対の段差面５５ａ，５５ｂによって構成されている。該一対の段差面５５ａ，５５ｂは、各端部材５２，５３の幅方向に隣接して位置する。一方の段差面５５ａは、各端部材５２，５３の表面に対して凹んだ平坦面である。他方の段差面５５ｂは、各端部材５２，５３の裏面に対して凹んだ平坦面である。該一対の段差面５５ａ，５５ｂには、板厚方向に貫通したボルト挿入孔５５ｃ，５５ｃが形成されている。
【００５０】
例えば、図８及び図９に示されるように、中央部５１の一対の段差面５４ａ，５４ｂに対し、右の端部材５３（他方の端部材５３）の一対の段差面５５ａ，５５ｂを差し込んで、それぞれボルト、ナット５６，５６によって締め付けることにより、両者を一体的に組み付けることができる。
【００５１】
また、ボルト、ナット５６，５６を外した後に、中央部５１の一対の段差面５４ａ，５４ｂから右の端部材５３の一対の段差面５５ａ，５５ｂを抜き取り、右の端部材５３を表裏反転させた後に、図１０に示されるように再び中央部５１の一対の段差面５４ａ，５４ｂに対し、右の端部材５３の一対の段差面５５ａ，５５ｂを差し込んで、ボルト、ナット５６，５６によって締め付けることができる。
【００５２】
図１０は、中央部５１に対し各端部材５２，５３を裏返した構成を表している。該中央部５１を反転させることなく、該一対の凸側の刃３３，３３と該一対の凹側の刃３４，３４の向きを変更することができる。
【００５３】
該中央部５１に対する該各端部材５２，５３の表裏切り替えは、図１１に示される切り替え機構６０を用いて行うことが可能である。切り替え機構６０を用いた表裏切り替え作業は、次の手順による。
【００５４】
先ず、図１１（ａ）に示されるように、中央部５１の一対の段差面５４ａ，５４ｂに対し、右の端部材５３の一対の段差面５５ａ，５５ｂの位置を合わせる。このときに、図７に示される中央部５１に対する左の端部材５２（一方の端部材５２）の面も合わせる。
次に、該中央部５１の一方の面に切り替え機構６０をセットする。
次に、該切り替え機構６０のピストン６１を右の端部材５３へ向かって伸ばして、先端部６２を図１１（ｂ）に示されるように、右の端部材５３の一方の面に吸着する。
次に、該切り替え機構６０のピストン６１を引き戻す。この結果、図１１（ｃ）に示されるように、右の端部材５３の一対の段差面５５ａ，５５ｂは、中央部５１の一対の段差面５４ａ，５４ｂに差し込まれる。
その後に、該中央部５１から該切り替え機構６０を取り外す。
最後に、中央部５１の一対の段差面５４ａ，５４ｂに対し、右の端部材５３の一対の段差面５５ａ，５５ｂをボルト、ナット５６，５６（図９参照）によって締め付けることによって、両者を結合して作業を終了する。
【００５５】
実施例２によれば、上記実施例１と同様の作用、効果を発揮する。さらに実施例２によれば、該中央部５１を反転させることなく、該左右の端部材５２，５３だけを表裏反転させることによって、該一対の凸側の刃３３，３３と該一対の凹側の刃３４，３４の向きを、容易に変更することができる。
【産業上の利用可能性】
【００５６】
本発明の作業機１０，１０Ａは、歩行型芝刈機に採用するのに好適である。
【符号の説明】
【００５７】
１０    芝刈機
１０Ａ  芝刈機
１１    ハウジング
１４    カッタブレード（上部カッタブレード）
１４Ａ  カッタブレード（上部カッタブレード）
１６    動力源（エンジン）
１６ａ  回転軸（出力軸）
３１    上部カッタブレードの長手方向の端部
３２    屈曲部
３２ａ  凸面状の縁
３２ｂ  凹面状の縁
３３    凸側の刃
３４    凹側の刃
Ｇｒ    芝地
Ｒａ    カッタブレードの回転方向
ＳＣ    出力軸の軸心
θ１    凸側の刃の刃先角度
θ２    凹側の刃の刃先角度
【図１】
2015188335.tif 000003
【図２】
2015188335.tif 000004
【図３】
2015188335.tif 000005
【図４】
2015188335.tif 000006
【図５】
2015188335.tif 000007
【図６】
2015188335.tif 000008
【図７】
2015188335.tif 000009
【図８】
2015188335.tif 000010
【図９】
2015188335.tif 000011
【図１０】
2015188335.tif 000012
【図１１】
2015188335.tif 000013